(57)【要約】【課題】どのような交換レンズを使用しても良好なホワイトバランス調整が行えるレンズ交換可能な電子カメラシステムを提供し、また、撮影者が任意に該撮影レンズユニットの分光特性に相応した色温度補正データの作成を行うことが可能な電子カメラシステムを提供する。【解決手段】測色センサー１５１を用いて第１のホワイトバランス制御信号を得る手段１５３と、撮影レンズユニット３００を通して得た信号を用いて第２のホワイトバランス制御信号を得る手段１５４と、前記第１、第２のホワイトバランス制御信号を比較して、前記撮影レンズユニット３００固有の色温度補正データを算出する手段１５５と、前記第１、第２のホワイトバランス制御信号と前記色温度補正データによってホワイトバランス調整を制御する手段１５６と、前記色温度補正データを記憶する色温度補正データ記憶手段１５７とを備えたことを特徴とする電子カメラシステム。【選択図】        図２
2004194184.tif 000002
【特許請求の範囲】
【請求項１】
交換可能な撮影レンズユニットと、前記撮影レンズユニットを透過して結像された被写体像を光電変換する撮像素子を有する電子カメラシステムにおいて、
前記撮像素子以外の測色センサーからのデータを用いてホワイトバランス調整のための第１のホワイトバランス制御信号を得る第１のホワイトバランス算出手段と、
前記撮影レンズユニットを通して撮像素子から得た信号からのデータを用いてホワイトバランス調整のための第２のホワイトバランス制御信号を得る第２のホワイトバランス算出手段と、
前記第１のホワイトバランス算出手段より得られる前記第１のホワイトバランス制御信号と前記第２のホワイトバランス算出手段より得られる前記第２のホワイトバランス制御信号とを比較して、前記撮影レンズユニット固有の色温度補正データを算出する色温度補正データ算出手段と、
前記第１のホワイトバランス制御信号と前記第２のホワイトバランス制御信号と前記色温度補正データによってホワイトバランス調整を制御するホワイトバランス制御手段と、
前記色温度補正データを記憶する色温度補正データ記憶手段とを備えたことを特徴とする電子カメラシステム。
【発明の詳細な説明】
【０００１】
【発明の属する技術分野】
本発明は、電子カメラシステムに関するものである。
【０００２】
【従来の技術】
従来、電子カメラでは白い被写体を白く再現するようにホワイトバランスの調整をしている。ホワイトバランスは、一般に使用されるレンズの分光特性のうち最も標準的なレンズの分光特性を設定して、該設定された分光特性と、被写体からの光によって得られる電子カメラの赤信号回路の利得と青信号回路の利得を、緑信号を基準として制御して行う。
【０００３】
また、ホワイトバランスには、オートホワイトバランス方式と、マニュアルホワイトバランス方式とがある。
【０００４】
オートホワイトバランス方式では、撮影環境の色合い（色温度）を計測する必要がある。オートホワイトバランス方式では、外測センサー方式とＴＴＬ（Ｔｈｒｏｕｇｈ  Ｔｈｅ  Ｌｅｎｓ）方式とがあり、外測センサー方式は外光の色を測定して得られるデータを用いてホワイトバランスの調整を行うもので、ＴＴＬ方式は撮像センサーの出力信号から外光の色を算出し、そのデータを用いてホワイトバランスの調整を行うものである。
【０００５】
マニュアルホワイトバランス方式では、撮影環境の光源の種類（例えば太陽光、電球、蛍光灯など）を撮影者が判断し、スイッチなどの光源選択手段により光源の種類を選択する。この光源の選択に応じて赤信号回路の利得と青信号回路の利得とが、予め設定されている光源固有の固定ゲインに設定される。または、撮影者が撮影環境の色合い（色温度）を測定し、色温度入力手段により撮影環境の色温度を入力する。撮影者の色温度の入力に応じて赤信号回路の利得と青信号回路の利得とが、予め設定されている色温度固有の固定ゲインに設定される。
しかしながら、従来のレンズ交換可能な電子カメラでは、使用レンズにより分光特性が異なるので、標準的なレンズの分光特性を設定して被写体からの色温度情報によりホワイトバランスを調整しても、実際に使用する交換レンズによっては、前記標準的なレンズとは分光特性が大きく異なり、同じ被写体でもホワイトバランスの調整が正確にできないという問題があった。
【０００６】
これに対し、カメラ本体に対して交換可能な撮影レンズユニットに、該交換レンズの分光特性に相応した色温度補正情報を予め記憶させておき、撮影の際に前記色温度補正情報を元にホワイトバランス調整を行うことにより、良好なホワイトバランス調整が可能なレンズ交換可能なビデオカメラおよび交換レンズが提案されている（例えば、特許文献１参照）。
【０００７】
【特許文献１】
特公平７−８３４８１号公報
【０００８】
【発明が解決しようとする課題】
しかしながら、上記従来方式では以下のような不都合を生じていた。
【０００９】
上記特公平７−８３４８１号公報に示される技術では、交換可能な撮影レンズユニットに該撮影レンズユニットの分光特性に相応した色温度補正情報を予め記憶していることにより、良好なホワイトバランス調整が可能であるが、これは、撮影レンズユニットの分光特性に相応した色温度補正情報を記憶可能な交換レンズにのみ適用されるものであり、撮影レンズユニットの分光特性に相応した色温度補正情報を記憶不可能な撮影レンズユニットが装着された場合には、良好なホワイトバランス調整を行うことが困難である。
【００１０】
また、撮影レンズユニットの分光特性に相応した色温度補正情報を記憶可能な交換レンズにおいて、交換可能な撮影レンズユニットに出荷時に予めある所定の条件下における該撮影レンズユニットの分光特性に相応した色温度補正データを記憶しているだけであり、撮影者は、予め記憶された色温度補正データを使用した撮影を行うことはできるが、任意に様々な条件下における該撮影レンズユニットの分光特性に相応した正確な色温度補正データの作成を行うことまでは難しい。
【００１１】
本発明は上述のような問題点を排除し、どのような交換レンズを使用しても良好なホワイトバランス調整が行えるレンズ交換可能な電子カメラシステムを提供し、また、撮影者が任意に該撮影レンズユニットの分光特性に相応した色温度補正データの作成を行うことが可能な電子カメラシステムを提供することを目的とする。
【００１２】
【課題を解決するための手段】
本発明は、下記の技術的構成により前記目的を達成できたものである。
【００１３】
（１）交換可能な撮影レンズユニットと、前記撮影レンズユニットを透過して結像された被写体像を光電変換する撮像素子を有する電子カメラシステムにおいて、
前記撮像素子以外の測色センサーからのデータを用いてホワイトバランス調整のための第１のホワイトバランス制御信号を得る第１のホワイトバランス算出手段と、
前記撮影レンズユニットを通して撮像素子から得た信号からのデータを用いてホワイトバランス調整のための第２のホワイトバランス制御信号を得る第２のホワイトバランス算出手段と、
前記第１のホワイトバランス算出手段より得られる前記第１のホワイトバランス制御信号と前記第２のホワイトバランス算出手段より得られる前記第２のホワイトバランス制御信号とを比較して、前記撮影レンズユニット固有の色温度補正データを算出する色温度補正データ算出手段と、
前記第１のホワイトバランス制御信号と前記第２のホワイトバランス制御信号と前記色温度補正データによってホワイトバランス調整を制御するホワイトバランス制御手段と、
前記色温度補正データを記憶する色温度補正データ記憶手段とを備えたことを特徴とする電子カメラシステム。
【００１４】
（２）前記色温度補正データ記憶手段は、複数の交換可能な撮影レンズユニット固有の色温度補正データを格納することを特徴とする前記（１）項に記載の電子カメラシステム。
【００１５】
（３）前記色温度補正データ算出手段は、前記交換可能な撮影レンズユニットよりレンズ情報を取得し、色温度補正データに撮影レンズユニットのレンズ情報を添付する事を特徴とする前記（１）項に記載の電子カメラシステム。
【００１６】
（４）前記色温度補正データをホワイトバランス制御に使用するか否かを選択可能な色温度補正データ使用選択手段を備えたことを特徴とする前記（１）項に記載の電子カメラシステム。
【００１７】
（５）前記色温度補正データを撮影された画像に添付する画像情報記録手段を備えたことを特徴とする前記（１）項に記載の電子カメラシステム。
【００１８】
（６）電子カメラに装着された交換可能な撮影レンズユニットの色温度補正データが前記色温度補正データ記憶手段に格納されていなかった場合に、前記交換可能な撮影レンズユニットの色温度補正データが格納されていないことを警告する色温度補正データ使用警告手段を備えたことを特徴とする前記（１）項に記載の電子カメラシステム。
【００１９】
（７）前記色温度補正データ使用選択手段によって前記色温度補正データを使用することを選択され、色温度補正データ記憶手段に電子カメラに装着された交換可能な撮影レンズユニットの色温度補正データが格納されていなかった場合に、前記交換可能な撮影レンズユニットの色温度補正データが格納されていないことを警告する色温度補正データ使用警告手段を備えたことを特徴とする前記（４）項に記載の電子カメラシステム。
【００２０】
（８）色温度補正データ記憶手段を備えた交換可能な撮影レンズユニットと、前記撮影レンズユニットを透過して結像された被写体像を光電変換する撮像素子を有する電子カメラシステムであって、
撮像素子以外の測色センサーからのデータを用いてホワイトバランス調整のための第１のホワイトバランス制御信号を得る第１のホワイトバランス算出手段と、前記撮影レンズユニットを通して撮像素子から得た信号からのデータを用いてホワイトバランス調整のための第２のホワイトバランス制御信号を得る第２のホワイトバランス算出手段と、
前記第１のホワイトバランス算出手段より得られる前記第１のホワイトバランス制御信号と前記第２のホワイトバランス算出手段より得られる前記第２のホワイトバランス制御信号とを比較して、前記撮影レンズユニット固有の色温度補正データを算出する色温度補正データ算出手段と、
前記第１のホワイトバランス制御信号と前記第２のホワイトバランス制御信号と前記色温度補正データによってホワイトバランス調整を制御するホワイトバランス制御手段とを備え、
前記色温度補正データは、前記色温度補正データ記憶手段に記憶されることを特徴とする電子カメラシステム。
【００２１】
（９）前記色温度補正データをホワイトバランス制御に使用するか否かを選択可能な色温度補正データ使用選択手段を備えたことを特徴とする前記（８）項に記載の電子カメラシステム。
【００２２】
（１０）電子カメラに装着された交換可能な撮影レンズユニットの色温度補正データが前記色温度補正データ記憶手段に格納されていなかった場合に、前記交換可能な撮影レンズユニットの色温度補正データが格納されていないことを警告する色温度補正データ使用警告手段を備えたことを特徴とする前記（８）項に記載の電子カメラシステム。
【００２３】
（１１）前記色温度補正データ使用選択手段によって前記色温度補正データを使用することを選択され、電子カメラに装着された交換可能な撮影レンズユニットの色温度補正データが色温度補正データ記憶手段に格納されていなかった場合に、前記交換可能な撮影レンズユニットの色温度補正データが格納されていないことを警告する色温度補正データ使用警告手段を備えたことを特徴とする前記（９）項に記載の電子カメラシステム。
【００２４】
なお、前記（３）項のレンズ情報とは、例えば固有の番号等の識別情報や管理情報といったものである。
【００２５】
前記（１）項の構成により、撮影者は電子カメラに装着された交換可能な撮影レンズユニット固有の分光特性に相応する色温度補正データの作成が可能となり、どのような撮影レンズユニットが電子カメラに装着されても、撮影者が作成した撮影レンズユニット固有の色温度補正データを使用することによって、良好なホワイトバランス調整が可能となる。また、作成した撮影レンズユニット固有の色温度補正データを電子カメラに保存しておくことが可能となる。
【００２６】
前記（２）項の構成により、撮影時に電子カメラに装着されている撮影レンズユニット以外の撮影レンズユニット固有の色温度補正データを電子カメラに保存しておくことが可能となる。
【００２７】
前記（３）項の構成により、色温度補正データ算出手段によって得られた交換可能な撮影レンズユニット固有の色温度補正データが、どの撮影レンズユニットの色温度補正データかを容易に識別することが可能となる。
【００２８】
前記（４）項の構成によって、装着された撮影レンズユニット固有の色温度補正データを撮影に使用するか否かを選択することが可能となる。
【００２９】
前記（５）項の構成によって、撮影した画像に撮影で使用した交換可能な撮影レンズユニット固有の色温度補正データを画像情報として添付することが可能となる。
【００３０】
前記（６）項の構成によって、装着された撮影レンズユニット固有の色温度補正データが電子カメラに記憶されていなかった場合には、撮影者に警告することが可能となる。
【００３１】
前記（７）項の構成によって、撮影者が色温度補正データを使用した撮影モードを選択したにもかかわらず、電子カメラに装着された撮影レンズユニットの色温度補正データが電子カメラに記憶されていなかった場合に、撮影者に前記交換可能な撮影レンズユニットの色温度補正データが格納されていないことを警告することが可能となる。
【００３２】
前記（８）項の構成により、撮影者は電子カメラに装着された交換可能な撮影レンズユニット固有の分光特性に相応する色温度補正データの作成が可能となり、どのような撮影レンズユニットが電子カメラに装着されても、撮影者が作成した撮影レンズユニット固有の色温度補正データを使用することによって、良好なホワイトバランス調整が可能となる。また、作成した撮影レンズユニット固有の色温度補正データを撮影レンズユニットに保存しておくことが可能となる。
【００３３】
前記（９）項の構成によって、装着された撮影レンズユニット固有の色温度補正データを撮影に使用するか否かを選択することが可能となる。
【００３４】
前記（１０）項の構成によって、装着された交換可能な撮影レンズユニットに色温度補正データがなかった場合には、撮影者に警告することが可能となる。
【００３５】
前記（１１）項の構成によって、撮影者が色温度補正データを使用した撮影モードを選択したにもかかわらず、装着された撮影レンズユニットに色温度補正データが記憶されていなかった場合に、撮影者に前記交換可能な撮影レンズユニットの色温度補正データが格納されていないことを警告することが可能となる。
【００３６】
【発明の実施の形態】
以下、図面を参照して本発明の実施の形態を説明する。
【００３７】
（第一の実施例）
まず、図１〜図５を用いて、第一の実施例について説明する。
【００３８】
図１は本発明の概略図を示したものである。
【００３９】
１００は電子カメラ本体である。
【００４０】
１５１は測色センサーで、外光の色温度を測定する。
【００４１】
３００は、交換可能な撮影レンズユニット（以下、レンズユニットともいう。）である。
【００４２】
図２は本発明の第一の実施例を示したブロック図である。
【００４３】
図２において、１２は、撮像素子１４への露光量を制御するためのシャッター、１４は、光学像を電気信号に変換する撮像素子である。
【００４４】
レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００４５】
１３０、１３２はミラーで、レンズ３１０に入射した光線を、一眼レフ方式によって光学ファインダー１０４に導くことが出来る。
【００４６】
なお、ミラー１３０は、クイックリターンミラーの構成としても、ハーフミラーの構成としても、どちらでも構わない。
【００４７】
１６は、撮像素子１４のアナログ信号出力をデジタル信号に変換するＡ／Ｄ変換器である。
【００４８】
１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００４９】
２０は画像処理回路であり、Ａ／Ｄ変換器１６からのデータ或いはメモリ制御回路２２からのデータに対して所定の画素補間処理や色変換処理を行う。
【００５０】
また、画像処理回路２０は、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００５１】
さらに、画像処理回路２０は、ホワイトバランス制御回路１５６より得られた演算結果に基づいてＷＢ（ホワイトバランス）処理も行っている。
【００５２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００５３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５４】
２４は画像表示メモリ、２６はＤ／Ａ変換器、２８は、ＴＦＴ・ＬＣＤ等から成る画像表示部であり、画像表示メモリ２４に書き込まれた表示用の画像データはＤ／Ａ変換器２６を介して画像表示部２８により表示される。
【００５５】
画像表示部２８を用いて撮像した画像データを逐次表示すれば、電子ファインダー機能を実現することが可能である。
【００５６】
また、画像表示部２８は、システム制御回路５０の指示により任意に表示をＯＮ／ＯＦＦすることが可能であり、表示をＯＦＦにした場合には電子カメラ本体１００の電力消費を大幅に低減することが出来る。
【００５７】
３０は、撮影した静止画像や動画像を格納するためのメモリであり、所定枚数の静止画像や所定時間の動画像を格納するのに十分な記憶量を備えている。
【００５８】
これにより、複数枚の静止画像を連続して撮影する連射撮影やパノラマ撮影の場合にも、高速かつ大量の画像書き込みをメモリ３０に対して行うことが可能となる。
【００５９】
また、メモリ３０は、システム制御回路５０の作業領域としても使用することが可能である。
【００６０】
３２は、適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００６１】
４０は、測光手段４６からの測光情報に基づいて、絞り３１２を制御する絞り制御手段３４０と連携しながら、シャッター１２を制御するシャッター制御手段である。
【００６２】
４２は、ＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００６３】
４６は、ＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００６４】
また、測光手段４６は、フラッシュ４８と連携することによりＥＦ（フラッシュ調光）処理機能も有するものである。
【００６５】
４８はフラッシュであり、ＡＦ補助光の投光機能、フラッシュ調光機能も有する。
【００６６】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００６７】
さらに、測距手段４２による測定結果と、撮像素子１４によって撮像した画像データを画像処理回路２０によって演算した演算結果とを共に用いてＡＦ（オートフォーカス）制御を行っても構わない。
【００６８】
そして、測光手段４６による測定結果と、撮像素子１４によって撮像した画像データを画像処理回路２０によって演算した演算結果とを共に用いて露出制御を行っても構わない。
【００６９】
５０は、画像情報記録手段である電子カメラ本体１００全体を制御するシステム制御回路、５２は、システム制御回路５０の動作用の定数、変数、プログラム等を記憶するメモリである。
【００７０】
システム制御回路５０は、色温度補正データを撮影された画像に添付することもできる。
【００７１】
５４は、システム制御回路５０でのプログラムの実行に応じて、文字、画像、音声等を用いて動作状態やメッセージ等を表示する液晶表示装置、スピーカー等の表示部であり、電子カメラ本体１００の操作部近辺の視認し易い位置に単数或いは複数個所設置され、例えばＬＣＤやＬＥＤ、発音素子等の組み合わせにより構成されている。
【００７２】
また、表示部５４は、その一部の機能が光学ファインダー１０４内に設置されている。
【００７３】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００７４】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００７５】
さらに、表示部５４の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【００７６】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００７７】
５６は、電気的に消去・記録可能な不揮発性メモリであり、例えばＥＥＰＲＯＭ等が用いられる。
【００７８】
６０、６２、６４、６６、６８、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００７９】
ここで、これらの操作手段の具体的な説明を行う。
【００８０】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００８１】
６２はシャッタースイッチＳＷ１で、不図示のシャッターボタンの操作途中でＯＮとなり、ＡＦ（オートフォーカス）処理、ＡＥ（自動露出）処理、ＷＢ（ホワイトバランス）処理、ＥＦ（フラッシュ調光）処理等の動作開始を指示する。
【００８２】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００８３】
６６は色温度補正データ登録スイッチで、色温度補正データ算出回路１５５によって装着されたレンズユニット３００固有の色温度補正データを算出するための撮影シーケンスの開始を指示する。
【００８４】
６８は、色温度補正データ使用選択手段である色温度補正モードスイッチで、色温度補正データ算出回路１５５によって算出される装着されたレンズユニット３００固有の色温度補正データを使用した撮影を指示する。
【００８５】
７０は色温度補正データ選択スイッチで、色温度補正データ記憶手段１５７に格納されている複数の色温度補正データから、任意の色温度補正データを選択する。
【００８６】
７２はホワイトバランス選択スイッチで、外光の色を測定して得られる色温度データを用いる外測センサー方式と、撮像センサーの出力信号から外光の色を算出し、その色温度データを用いるＴＴＬ方式によってホワイトバランスの調整を行うオートホワイトバランスと、撮影環境の光源の種類（例えば太陽光、電球、蛍光灯など）を撮影者が判断し、光源選択手段（不図示）により光源の種類を選択し、または撮影者が撮影環境の色合い（色温度）を測定し、色温度入力手段により電子カメラに撮影環境の色温度を入力し、この光源の選択や色温度の入力に応じて赤信号回路の利得と青信号回路の利得とが、予め設定されている光源および色温度固有の固定ゲインに設定されるマニュアルホワイトバランスとを選択する。
【００８７】
７４は、各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００８８】
また、上記プラスボタン及びマイナスボタンの各機能は、回転ダイアルスイッチを備えることによって、より軽快に数値や機能を選択することが可能となる。
【００８９】
７６は電源スイッチで、電子カメラ本体１００の電源オン、電源オフの各モードを切り替え設定することが出来る。また、電子カメラ本体１００に接続されたレンズユニット３００、不図示の外部ストロボ、記録媒体２００、２１０等の各種付属装置の電源オン、電源オフの設定も合わせて切り替え設定することが出来る。
【００９０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００９１】
８２はコネクタ、８４はコネクタ、８６は、アルカリ電池やリチウム電池等の一次電池やＮｉＣｄ電池やＮｉＭＨ電池、Ｌｉ電池等の二次電池、ＡＣアダプター等からなる電源手段である。
【００９２】
９０及び９４は、メモリカードやハードディスク等の記録媒体とのインターフェース、９２及び９６は、メモリカードやハードディスク等の記録媒体と接続を行うコネクタ、９８は、コネクタ９２及び或いは９６に記録媒体２００或いは２１０が装着されているか否かを検知する記録媒体着脱検知手段である。
【００９３】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００９４】
インターフェース及びコネクタとしては、ＰＣＭＣＩＡカードやＣＦ（コンパクトフラッシュ（Ｒ））カード等の規格に準拠したものを用いて構成して構わない。
【００９５】
さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００９６】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダー１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００９７】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００９８】
１１２は、通信手段１１０により電子カメラ本体１００を他の機器と接続するコネクタ或いは無線通信の場合はアンテナである。
【００９９】
１２０は、レンズマウント１０６内において、電子カメラ本体１００をレンズユニット３００と接続するためのインターフェース、１２２は、電子カメラ本体１００をレンズユニット３００と電気的に接続するコネクタ、１２４は、レンズマウント１０６及び或いはコネクタ１２２にレンズユニット３００が装着されているか否かを検知するレンズ着脱検知手段である。
【０１００】
コネクタ１２２は、電子カメラ本体１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【０１０１】
測色センサー１５１は、撮影した画像のホワイトバランスを調整するために外光色を測色する。
【０１０２】
１５２は、測色センサー１５１のアナログ信号出力をデジタル信号に変換するＡ／Ｄ変換器である。
【０１０３】
１５３は、第１のホワイトバランス算出手段である外測ホワイトバランス算出回路で、ホワイトバランス用Ａ／Ｄ回路５６からの出力を受けて第１のホワイトバランス制御信号として外光の色温度（外測色温度）を算出する。
【０１０４】
１５４は、第２のホワイトバランス算出手段である内測ホワイトバランス算出回路で、ＴＴＬ方式により撮像した画像データを用いて第２のホワイトバランス制御信号として色温度（内測色温度）を算出する。
【０１０５】
１５５は、色温度補正データ算出手段である色温度補正データ算出回路で、外測ホワイトバランス算出回路１５３で算出された外測色温度と内測ホワイトバランス算出回路１５４で算出された内測色温度とを比較して、装着されているレンズユニット３００固有の分光特性に相応する色温度補正データを算出する。
【０１０６】
１５６は、ホワイトバランス制御手段であるホワイトバランス制御回路で、撮影者の光源選択や色温度入力に応じて予め設定されたホワイトバランス調整のゲインと、外測ホワイトバランス算出回路１５３によって算出された外測色温度と、内測ホワイトバランス算出回路１５４によって算出された内測色温度と、色温度補正データ算出回路１５５によって算出された色温度補正データ等によって、画像処理回路２０がホワイトバランスの処理をするのに必要なホワイトバランス補正データを算出する。
【０１０７】
１５７は色温度補正データ記憶手段で、装着されているレンズユニット３００固有の色温度補正データとレンズユニット３００の色温度補正データに対応するレンズユニット３００の各種レンズ情報を複数記憶する。
【０１０８】
１５８は、色温度補正データ使用警告手段（以下、警告手段ともいう。）であり、色温度補正モードスイッチ６８によって色温度補正データの使用する撮影方法を選択された場合に、色温度補正データ記憶手段１５７に装着されたレンズユニット３００固有の色温度補正データが記憶されているかどうかを確認し、色温度補正データが記憶されておらず、色温度補正データを使用した撮影が不可能な場合には、撮影者に色温度補正データが使用できないことを表示部５４によって警告する。
【０１０９】
２００は、メモリカードやハードディスク等の記録媒体である。
【０１１０】
記録媒体２００は、半導体メモリや磁気ディスク等から構成される記録部２０２、電子カメラ本体１００とのインターフェース２０４、電子カメラ本体１００と接続を行うコネクタ２０６を備えている。
【０１１１】
２１０は、メモリカードやハードディスク等の記録媒体である。
【０１１２】
記録媒体２１０は、半導体メモリや磁気ディスク等から構成される記録部２１２、電子カメラ本体１００とのインターフェース２１４、電子カメラ本体１００と接続を行うコネクタ２１６を備えている。
【０１１３】
３０６は、レンズユニット３００を電子カメラ本体１００と機械的に結合するレンズマウントである。レンズマウント３０６内には、レンズユニット３００を電子カメラ本体１００と電気的に接続する各種機能が含まれている。
【０１１４】
３１０は撮影レンズ、３１２は絞りである。
【０１１５】
３２０は、レンズマウント３０６内において、レンズユニット３００を電子カメラ本体１００と接続するためのインターフェース、３２２は、レンズユニット３００を電子カメラ本体１００と電気的に接続するコネクタである。
【０１１６】
コネクタ３２２は、電子カメラ本体１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【０１１７】
３４０は、測光手段４６からの測光情報に基づいて、シャッター１２を制御するシャッター制御手段４０と連携しながら、絞り３１２を制御する絞り制御手段である。
【０１１８】
３４２は、撮影レンズ３１０のフォーカシングを制御する測距制御手段、３４４は、撮影レンズ３１０のズーミングを制御するズーム制御手段である。
【０１１９】
３５０は、レンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【０１２０】
図３は、装着されたレンズの色温度補正データを作成するためのフローチャートを示したものである。
【０１２１】
まず、ステップＳ１０１で、色温度補正データ登録スイッチ６６がＯＮとなると、電子カメラ本体１００に装着されたレンズユニット３００固有の色温度補正データ作成のための色温度補正データ作成モードになる。
【０１２２】
ステップＳ１０２で、シャッタースイッチＳＷ１（６２）がＯＮとなると、ステップＳ１０３で、測色センサー１５１によって外光の光の測色を行い、測色センサー１５１からのアナログの出力をＡ／Ｄ回路１５２によってデジタル信号に変換し、測色センサー１５１より得られた赤信号Ｒ１と青信号Ｂ１の比率から、外測ホワイトバランス算出回路１５３によって外光の色温度としてＲ１／Ｇ１とＢ１／Ｇ１を得る。
【０１２３】
ステップＳ１０４で、シャッタースイッチＳＷ２（６４）がＯＮとなると、ステップＳ１０５で、撮影者はある所定の白紙を撮影する。
【０１２４】
ステップＳ１０６で、撮像素子１４は、装着されたレンズユニット３００を透過した光を受光し、撮像素子１４からのアナログ信号の出力をＡ／Ｄ変換器１６によってデジタル信号に変換し、撮像素子１４より得られた赤信号Ｒ２と青信号Ｂ２の比率から、内測ホワイトバランス算出回路１５４によってレンズユニット３００を透過した外光の色温度としてＲ２／Ｇ２とＢ２／Ｇ２を得る。
【０１２５】
ステップ１０７で、外測ホワイトバランス算出回路１５３で得られた、外光の色温度Ｒ１／Ｇ１とＢ１／Ｇ１と、内測ホワイトバランス算出回路１５４によって得られた、レンズユニット３００を透過した外光の色温度Ｒ２／Ｇ２とＢ２／Ｇ２より、色温度補正データ算出回路１５５は、レンズユニット３００固有の分光特性に相応する色温度補正データＲ３／Ｇ３とＢ３／Ｇ３を算出する。
【０１２６】
ステップ１０８で、色温度補正データ算出回路１５５より得られた、レンズユニット３００固有の色温度補正データＲ３／Ｇ３とＢ３／Ｇ３を、レンズユニット３００のレンズシステム制御回路３５０より得られたレンズユニット３００固有の番号等の識別情報、管理情報と共に、色温度補正データ記憶手段１５７に格納する。
【０１２７】
図４は、装着されたレンズユニット３００固有の色温度補正データを使用した撮影のフローチャートを示したものである。
【０１２８】
まず、ステップＳ２０１で、シャッタースイッチＳＷ１（６２）がＯＮすると、ステップＳ２０２で、ホワイトバランス選択スイッチ７２の操作によってホワイトバランス処理が、オートホワイトバランスか、マニュアルホワイトバランスかを判別する。
【０１２９】
オートホワイトバランスが選択されていた場合は、ステップＳ２０３で、測色センサー１５１によって、外光の光の測色を行い、測色センサー１５１からのアナログ信号の出力をＡ／Ｄ変換器１５２によってデジタル信号に変換し、測色センサー１５１より得られた赤信号Ｒと青信号Ｂの比率から、外測ホワイトバランス算出回路１５３によって外測ホワイトバランス調整のゲインが算出される。
【０１３０】
ステップＳ２０４で、シャッタースイッチＳＷ２（６４）がＯＮとなると、ステップＳ２０５で、撮像素子１４に画像データが蓄積される。
【０１３１】
ステップＳ２０６で、撮像素子１４からのアナログ信号の出力はＡ／Ｄ変換器１６によってデジタル信号に変換され、撮影した画像データより得られた赤信号Ｒと青信号Ｂの比率から、内測ホワイトバランス算出回路１５４によって、内測ホワイトバランス調整のゲインが算出される。
【０１３２】
ステップＳ２０９では、ホワイトバランス制御回路１５６は装着されたレンズユニット３００のレンズシステム制御回路３５０より得たレンズユニット３００固有の番号等の識別情報、管理情報などの各種情報に基き、色温度補正データ記憶手段１５７から、装着されたレンズユニット３００固有の色温度補正データを読込む。
【０１３３】
ステップＳ２１０で、ホワイトバランス制御回路１５６は、外測ホワイトバランス調整のゲインと、内測ホワイトバランスのゲインと、装着されたレンズユニット３００固有の色温度補正データによって算出した撮影画像のホワイトバランスの補正値を画像処理回路２０に送り、撮影画像のホワイバランス調整が行われる。
【０１３４】
ステップＳ２１１で、画像データと共に、装着されたレンズユニット３００固有の色温度補正データを撮影画像に付随する各種撮影情報として記憶部２０２や、記録部２１２に格納する。
【０１３５】
ステップＳ２０２で、ホワイトバランス選択スイッチ７２の操作によってマニュアルホワイトバランスが選択されていた場合には、ステップＳ２０７で、シャッタースイッチＳＷ２（６４）がＯＮとなると、ステップＳ２０８で、撮像素子１４に画像データが蓄積され、撮像素子１４からのアナログ信号の出力はＡ／Ｄ変換器１６によってデジタル信号に変換される。
【０１３６】
ステップＳ２０９で、ホワイトバランス制御回路１５６は装着されたレンズユニット３００のレンズシステム制御回路３５０より得たレンズユニット３００固有の番号等の識別情報、管理情報などの各種情報に基づき、色温度補正データ記憶手段１５７より、装着されたレンズユニット３００固有の色温度補正データを読込む。
【０１３７】
ステップＳ２１０で、ホワイトバランス制御回路１５６は、撮影者がホワイトバランス選択スイッチ（７２）で任意に入力した光源の種類や、色温度の入力に応じて、予め記憶されているホワイトバランス調整のゲインと、装着されたレンズユニット３００の色温度補正データによって算出した撮影画像のホワイトバランス処理の補正値を画像処理回路２０に送り、画像処理回路２０にて撮影画像のホワイトバランス調整が行なわれる。
【０１３８】
ステップＳ２１１で、画像データと共に、装着されたレンズユニット３００固有の色温度補正データを撮影画像に付随する各種撮影情報として記憶媒体２７に格納する。
【０１３９】
図５は、色温度補正データが色温度データ記憶手段１５７に格納されていないレンズユニット３００や、レンズユニット３００固有の番号等の識別情報、管理情報など各種レンズ情報を格納したレンズシステム制御回路３５０を持たないレンズユニット３００が電子カメラ本体１００に装着されたときの色温度データの選択および警告の動作のフローチャート等を示したものである。
【０１４０】
まず、ステップＳ３０１で、色温度補正モードスイッチ６８がＯＮとなると、ステップＳ３０２で、ホワイトバランス制御回路１５７は装着されたレンズユニット３００のレンズシステム制御回路３５０よりレンズユニット３００固有の番号等の識別情報、管理情報などの各種レンズ情報を読込む。
【０１４１】
各種レンズ情報を取得できればＳ３０３へ、取得できなければＳ３０４へ進む。
【０１４２】
ステップＳ３０３で、ホワイトバランス制御回路１５６は、装着されたレンズユニット３００のレンズシステム制御回路３５０より得られたレンズユニット３００固有の番号等の識別情報、管理情報などの各種レンズ情報に基づき、色温度補正データ記憶手段１５７より、装着されたレンズユニット３００固有の色温度補正データを検索する。
【０１４３】
ステップＳ３０３で、装着されたレンズユニット３００固有の色温度補正データが色温度補正データ記憶手段１５７に格納されていた場合は、ステップＳ３０７で、撮影者は装着されたレンズユニット固有の色温度補正データを使用した撮影が可能となり、図４の装着されたレンズユニット３００固有の色温度補正データを使用した撮影のシーケンスに移行する（Ａ）。
【０１４４】
ステップＳ３０３で、装着されたレンズユニット３００の色温度補正データが色温度補正データ記憶手段１５７に格納されていなかった場合、撮影者は装着されたレンズユニット３００を使用し、装着されたレンズユニット３００固有の色温度補正データを使用した撮影はできないため、ステップＳ３０６で、警告手段１５８によって警告し、撮影者に色温度補正データを使用できないこと表示部５４に表示する。
【０１４５】
ステップＳ３０２で、装着されたレンズユニット３００のレンズシステム制御回路３５０よりレンズユニット３００固有の番号等の識別情報、管理情報等の各種レンズ情報が得られなかった場合は、ステップＳ３０４で、色温度補正データ使用警告手段１５８によって、色温度補正データが検索できなかったことを撮影者に警告し、表示部５４に表示する。
【０１４６】
ステップＳ３０５で、色温度補正データ記録手段１５７より撮影者が色温度補正データ選択スイッチ（７０）によって、装着されたレンズユニット３００の色温度補正データを任意に選択した場合に、ステップ３０７で、撮影者は装着されたレンズユニット３００固有の色温度補正データを使用した撮影が可能となり、図４の装着されたレンズユニット３００固有の色温度補正データを使用した撮影のフローチャートに移行する（Ａ）。
【０１４７】
（第二の実施例）
次に、図６〜図９を用いて、第二の実施例について説明する。
【０１４８】
図６は、本発明の第二の実施例を示したブロック図である。
【０１４９】
第一の実施例と重複するものについては、説明を省略し、第二の実施例における構成の特徴を説明する。
【０１５０】
４００は、第二の実施例における電子カメラ本体である。
【０１５１】
５００は、第二の実施例における色温度補正データ記憶手段５６０を備えた交換レンズタイプの撮影レンズユニット（以下、レンズユニットともいう。）である。
【０１５２】
５６０は色温度補正データ記憶手段で、色温度補正データ算出回路１５５によって算出されたレンズユニット５００固有の色温度補正データを記憶する。
【０１５３】
図７は、装着されたレンズユニットの色温度補正データを作成するためのフローチャートを示したものである。
【０１５４】
まず、ステップＳ４０１で、色温度補正データ登録スイッチ６６がＯＮとなると、電子カメラ本体４００に装着されたレンズユニット５００固有の色温度補正データ作成のための色温度補正データ作成モードになる。
【０１５５】
ステップＳ４０２で、シャッタースイッチＳＷ１（６２）がＯＮとなると、ステップＳ４０３で、測色センサー１５１によって外光の光の測色を行い、測色センサー１５１からのアナログの出力をＡ／Ｄ回路１５２によってデジタル信号に変換し、測色センサー１５１より得られた赤信号Ｒ１と青信号Ｂ１の比率から、外測ホワイトバランス算出回路１５３によって外光の色温度としてＲ１／Ｇ１とＢ１／Ｇ１を得る。
【０１５６】
ステップＳ４０４で、シャッタースイッチＳＷ２（６４）がＯＮとなると、ステップＳ４０５で、撮影者はある所定の白紙を撮影する。
【０１５７】
ステップＳ４０６で、撮像素子１４は、装着されたレンズユニット５００を透過した光を受光し、撮像素子１４からのアナログ信号の出力をＡ／Ｄ変換器１６によってデジタル信号に変換し、撮像素子１４より得られた赤信号Ｒ２と青信号Ｂ２の比率から、内測ホワイトバランス算出回路１５４によってレンズユニット５００を透過した外光の色温度としてＲ２／Ｇ２とＢ２／Ｇ２を得る。
【０１５８】
ステップ４０７で、外測ホワイトバランス算出回路１５３で得られた、外光の色温度Ｒ１／Ｇ１とＢ１／Ｇ１と、内測ホワイトバランス算出回路１５４によって得られた、レンズユニット５００を透過した外光の色温度Ｒ２／Ｇ２とＢ２／Ｇ２より、色温度補正データ算出回路１５５は、レンズユニット５００固有の分光特性に相応する色温度補正データＲ３／Ｇ３とＢ３／Ｇ３を算出する。
【０１５９】
ステップ４０８で、色温度補正データ算出回路１５５より得られた、レンズユニット５００固有の色温度補正データＲ３／Ｇ３とＢ３／Ｇ３を色温度補正データ記憶手段５６０に格納する。
【０１６０】
図８は、装着されたレンズユニット５００固有の色温度補正データを使用した撮影のフローチャートを示したものである。
【０１６１】
まず、ステップＳ５０１で、シャッタースイッチＳＷ１（６２）がＯＮすると、ステップＳ５０２で、ホワイトバランス選択スイッチ７２の操作によってホワイトバランス処理が、オートホワイトバランスと、マニュアルホワイトバランスのどちらに設定されているかを判別する。
【０１６２】
オートホワイトバランスが選択されていた場合は、ステップＳ５０３で、測色ンサー１５１によって、外光の光の測色を行い、測色センサー１５１からのアナログ信号の出力をＡ／Ｄ変換器１５２によってデジタル信号に変換し、測色センサー１５１より得られた赤信号Ｒと青信号Ｂの比率から、外測ホワイトバランス算出回路１５３によって外測ホワイトバランス調整のゲインが算出される。
【０１６３】
ステップＳ５０４で、シャッタースイッチＳＷ２（６４）がＯＮとなると、ステップＳ５０５で、撮像素子１４に画像データが蓄積される。
【０１６４】
ステップＳ５０６で、撮像素子１４からのアナログ信号の出力はＡ／Ｄ変換器１６によってデジタル信号に変換され、撮影した画像データより得られた赤信号Ｒと青信号Ｂの比率から、内測ホワイトバランス算出回路１５４によって、内測ホワイトバランス調整のゲインが算出される。
【０１６５】
ステップＳ５０９では、ホワイトバランス制御回路１５６は装着されたレンズユニット５００の色温度補正データ記憶手段５６０から、装着されたレンズユニット５００固有の色温度補正データを読込む。
【０１６６】
ステップＳ５１０で、ホワイトバランス制御回路１５６は、外測ホワイトバランス調整のゲインと、内測ホワイトバランスのゲインと、装着されたレンズユニット５００固有の色温度補正データによって算出した撮影画像のホワイトバランスの補正値を画像処理回路２０に送り、撮影画像のホワイバランス調整が行われる。
【０１６７】
ステップＳ５１１で、画像データと共に、装着されたレンズユニット５００固有の色温度補正データを撮影画像に付随する各種撮影情報として記憶部２０２や、記録部２１２に格納する。
【０１６８】
ステップＳ５０２で、ホワイトバランス選択スイッチ７２の操作によってマニュアルホワイトバランスが選択されていた場合には、ステップＳ５０７で、シャッタースイッチＳＷ２（６４）がＯＮとなると、ステップＳ５０８で、撮像素子１４に画像データが蓄積され、撮像素子１４からのアナログ信号の出力はＡ／Ｄ変換器１６によってデジタル信号に変換される。
【０１６９】
ステップＳ５０９で、ホワイトバランス制御回路１５６は、装着されたレンズユニット５００の色温度補正データ記憶手段５６０より、装着されたレンズユニット５００固有の色温度補正データを読込む。
【０１７０】
ステップＳ５１０で、ホワイトバランス制御回路１５６は、撮影者がホワイトバランス選択スイッチ（７２）で任意に入力した光源の種類や、色温度の入力に応じて、予め記憶されているホワイトバランス調整のゲインと、装着されたレンズユニット５００の色温度補正データによって算出した撮影画像のホワイトバランス処理の補正値を画像処理回路２０に送り、画像処理回路２０にて撮影画像のホワイトバランス調整が行われる。
【０１７１】
ステップＳ５１１で、画像データと共に、装着されたレンズユニット５００固有の色温度補正データを撮影画像に付随する各種撮影情報として記憶部２０２や、記録部２１２に格納する。
【０１７２】
図９は、装着されたレンズユニット５００の色温度データ記憶手段５６０に色温度補正データが格納されていない場合の警告の動作のフローチャートを示したものである。
【０１７３】
まず、ステップＳ６０１で、色温度補正モードスイッチ６８がＯＮとなると、ステップＳ６０２で、ホワイトバランス制御回路１５６は、装着されたレンズユニット５００の色温度補正データ記憶手段５６０より、装着されたレンズユニット５００固有の色温度補正データの有無を確認する。
【０１７４】
ステップＳ６０２で、装着されたレンズユニット５００固有の色温度補正データ記憶手段５６０に色温度補正データが格納されていた場合は、ステップＳ６０４で、撮影者は装着されたレンズユニット５００固有の色温度補正データを使用した撮影が可能となり、図８の装着されたレンズユニット５００固有の色温度補正データを使用した撮影のフローチャートに移行する（Ｂ）。
【０１７５】
ステップＳ６０２で、装着されたレンズユニット５００の色温度補正データ記憶手段５６０に色温度補正データが格納されていなかった場合、撮影者は装着されたレンズユニット５００を使用し、装着されたレンズユニット５００固有の色温度補正データを使用した撮影はできないため、ステップＳ６０３で、警告手段１５８によって警告し、撮影者に色温度補正データを使用できないこと表示部５４に表示する。
【０１７６】
【発明の効果】
以上説明したように、本発明によれば、
どのような交換レンズを使用しても良好なホワイトバランス調整が行えるレンズ交換可能な電子カメラシステムを提供し、また、撮影者が任意に該撮影レンズユニットの分光特性に相応した色温度補正データの作成を行うことが可能な電子カメラシステムを提供することができる。
【０１７７】
すなわち、
交換可能な撮影レンズユニットに、該撮影レンズユニットの分光特性に相当する色温度補正データを記憶する必要がなく、電子カメラ本体に装着することが可能な撮影レンズユニットであれば、どのような撮影レンズユニットでも色温度補正データを作成することが可能であり、装着された撮影レンズユニットの色温度補正データを使用したホワイトバランス調整によって、撮影者は良好なホワイトバランス調整の行われた画像を得ることが可能となる。
【０１７８】
また、
装着された交換可能なレンズの色温度補正データ以外の、装着されていない交換可能なレンズの色温度補正データを電子カメラに保存することが可能であり、電子カメラに交換可能な撮影レンズユニットを装着するたびに、色温度補正データを算出する必要がなく、予め複数の装着する交換可能なレンズの色温度補正データを電子カメラに記憶させておくことによって、撮影者は交換可能な撮影レンズユニットを装着して、すぐに色温度補正データを使用した撮影が可能となる。
【０１７９】
また、
色温度補正データを使用した撮影をする際に、電子カメラに保存されている複数の撮影レンズユニットの色温度補正データから、装着された交換可能な撮影レンズユニットの色温度補正データを自動で選択することが可能であり、撮影者は電子カメラに保存されている複数の撮影レンズユニットの色温度補正データから選択設定することなく、撮影することが可能である。
【０１８０】
また、
撮影者は、交換可能な撮影レンズユニットの色温度補正データの使用を自由に選択することが可能となる。
【０１８１】
また、
撮影者は、電子カメラに保存された撮影画像のホワイトバランス調整に使用された色温度補正データの情報を得ることが可能であり、撮影者が後に撮影した画像を加工する際に、装着された交換可能なレンズの色温度補正データを利用することが可能となる。
【０１８２】
また、
装着された交換可能なレンズの色温度補正データが電子カメラに予め保存されていなかった場合に、色温度補正データを使用した撮影ができないことを撮影者に伝達し、撮影者の意思と違う撮影が行われないようにすることが可能となる。
【０１８３】
また、
装着された交換可能なレンズの色温度補正データが電子カメラに予め保存されていなかったにもかかわらず、撮影者が色温度補正データを使用した撮影を行おうとした場合に、撮影者に交換可能な撮影レンズユニットの色温度補正データが電子カメラに記憶されていないことを警告し、撮影者の意思と違う撮影が行われないようにすることが可能となる。
【０１８４】
また、
撮影者は電子カメラに装着された交換可能な撮影レンズユニット固有の分光特性に相応する色温度データの作成が可能であり、撮影レンズユニット固有の色温度補正データを使用したホワイトバランス調整が可能となる。また、作成した撮影レンズユニット固有の色温度補正データを撮影レンズユニットに保存しておくことが可能となることによって、色補正データを記憶する手段を備えてはいないが、色温度補正データを使用した撮影が可能な電子カメラ本体に、作成した撮影レンズユニット固有の色温度補正データを予め保存した撮影レンズユニットを装着することで、色温度補正データを使用した撮影を行うことが可能となる。
【０１８５】
また、
撮影者は、交換可能な撮影レンズユニットの色温度補正データの使用を自由に選択することが可能となる。
【０１８６】
また、
装着された交換可能なレンズに色温度補正データが予め保存されていなかった場合に、色温度補正データを使用した撮影ができないことを撮影者に伝達し、撮影者の意思と違う撮影が行われないようにすることが可能となる。
【０１８７】
また、
装着された交換可能なレンズに色温度補正データが予め保存されていなかったにもかかわらず、撮影者が色温度補正データを使用した撮影を行おうとした場合に、撮影者に交換可能な撮影レンズユニットの色温度補正データが電子カメラに記憶されていないことを警告し、撮影者の意思と違う撮影が行われないようにすることが可能となる。
【図面の簡単な説明】
【図１】本発明の実施例を示す電子カメラシステムの概略図である。
【図２】本発明の第一の実施例を示す電子カメラシステムの内部構造を示したブロック図である。
【図３】本発明の第一の実施例において、装着されたレンズユニット３００の色温度補正データを作成するためのフローチャートを示したものである。
【図４】本発明の第一の実施例において、装着されたレンズユニット３００の色温度補正データを使用した撮影のフローチャートを示したものである。
【図５】本発明の第一の実施例において、色温度補正データが色温度データ記憶手段に格納されていないレンズユニット３００や、レンズＩＤなど各種レンズ情報を格納したレンズシステム制御回路３５０を持たないレンズユニット３００が電子カメラ本体１００に装着されたときの色温度データ選択および警告の動作等のフローチャートを示したものである。
【図６】本発明の第二の実施例を示す電子カメラシステムの内部構造を示したブロック図である。
【図７】本発明の第二の実施例において、装着されたレンズユニット５００の色温度補正データを作成するためのフローチャートを示したものである。
【図８】本発明の第二の実施例において、装着されたレンズユニット５００固有の色温度補正データを使用した撮影のフローチャートを示したものである。
【図９】本発明の第二の実施例において、装着されたレンズユニット５００の色温度データ記憶手段５６０に色温度補正データが格納されていない場合の警告の動作のフローチャートを示したものである。
【符号の説明】
１４  撮像素子
１６  Ａ／Ｄ変換器
２０  画像処理回路
５０  システム制御回路
５４  表示部
６２  レリーズシャッタースイッチＳＷ１
６４  レリーズシャッタースイッチＳＷ２
６６  色温度補正データ登録スイッチ
６８  色温度補正モードスイッチ
７０  色温度補正データ選択スイッチ
７２  ホワイトバランス選択スイッチ
１００  電子カメラ本体
１５１  測色センサー
１５２  Ａ／Ｄ変換器
１５３  外測ホワイトバランス算出回路
１５４  内測ホワイトバランス算出回路
１５５  色温度補正データ算出回路
１５６  ホワイトバランス制御回路
１５７  色温度補正データ記憶手段
２００  記録媒体
２１０  記録媒体
３００  撮影レンズユニット
３５０  レンズシステム制御回路
４００  電子カメラ本体
５００  撮影レンズユニット
５６０  色温度補正データ記憶手段
【図１】
2004194184.tif 000003
【図２】
2004194184.tif 000004
【図３】
2004194184.tif 000005
【図４】
2004194184.tif 000006
【図５】
2004194184.tif 000007
【図６】
2004194184.tif 000008
【図７】
2004194184.tif 000009
【図８】
2004194184.tif 000010
【図９】
2004194184.tif 000011